(57)【特許請求の範囲】
【請求項１】
商品に付加される景品であって、
前記商品に対して形態変化する玩具本体と、
前記玩具本体と協働して形態変化を実現する補助玩具と、
前記玩具本体と前記補助玩具とを内部に収容可能とするキャップ体と、
から構成され、
前記玩具本体は、前記商品と着脱自在な連結手段を備え、
前記補助玩具は、前記キャップ体への取り付けを可能とする支持部を備え、
前記キャップ体は、前記商品と嵌脱自在な嵌合手段、及び前記補助玩具を着脱自在に取り付け可能とする結合手段を備え、
前記玩具本体と前記補助玩具と前記キャップ体は、
キャップ体の内部に玩具本体と補助玩具とを収容し、嵌合手段によってキャップ体を商品の一端側へ取り付ける第一の態様と、
連結手段によって玩具本体と商品の一端側とを連結すると共に、結合手段によってキャップ体の外周面に補助玩具の支持部を取り付け、さらに、嵌合手段によってキャップ体を商品の他端側に嵌着する第二の態様と、
を取り得ることを特徴とする景品。
【請求項２】
前記玩具本体は、商品の端部を載置する連結台を備えることを特徴とする請求項１に記載の景品。
【請求項３】
前記連結手段は、商品の端部を係止するように前記玩具本体の連結台上に設けられた突起であることを特徴とする請求項２に記載の景品。
【請求項４】
前記連結台は、上面が弧状に窪んでいることを特徴とする請求項２又は３に記載の景品。
【請求項５】
前記玩具本体は、前記第二の態様をとった際に前記連結手段を備える位置より前方高所において前記連結手段に連結される商品の先端面付近まで後方に向けて延びる制止部を備えていることを特徴とする請求項１乃至４の何れか１項に記載の景品。
【請求項６】
前記玩具本体は、前記商品を牽引しながら移動する機能をさらに備えた走行玩具であり、車軸を介して連結された左右一対の車輪を備え、  
前記補助玩具は、前記走行玩具による前記商品の牽引を補助し、走行玩具と協働して円滑な走行を可能とする走行補助具であり、左右一対の車輪を少なくとも１組備える、
ことを特徴とする請求項１乃至５の何れか１項に記載の景品。
【請求項７】
前記玩具本体は、前記車輪の車軸を駆動する、プルバック式の駆動装置を備えていることを特徴とする請求項６に記載の景品。
【請求項８】
前記連結手段は、商品の端部を係止するように前記玩具本体の連結台上に設けられた突起であり、
前記突起は、前記車輪の車軸位置より前方に設けられていることを特徴とする請求項６又は７に記載の景品。
【請求項９】
前記結合手段は、補助玩具の支持部の収容保持を可能とするように前記キャップ体の周側面の一部を内側に窪ませて形成した凹部であることを特徴とする請求項１乃至８の何れか１項に記載の景品。
【請求項１０】
請求項1乃至９の何れか１項に記載の景品が付加された商品であって、
キャップ体の内部に玩具本体と補助玩具とを収容し、前記キャップ体を商品の端部に嵌着して景品を付加したことを特徴とする景品付き商品。
【請求項１１】
前記商品は、少なくとも一方の端部に絞り溝を有する物品であることを特徴とする請求項１０に記載の景品付き商品。
【請求項１２】
前記商品は、円筒状をした物品であることを特徴とする請求項１０又は１１に記載の景品付き商品。
【請求項１３】
前記商品は、強磁性体材料で形成された物品であることを特徴とする請求項１０乃至１２の何れか１項に記載の景品付き商品。
【発明の詳細な説明】
【技術分野】
【０００１】
本願発明は、消費者の商品購入を促す効果を期待して商品に付加する景品と、この景品を具備する商品に係り、詳しくは、商品販売時だけでなく、消費者の商品購入後においても当該商品と一体として用いることができる機能を備えた景品と、この景品付き商品に関する。
【背景技術】
【０００２】
従来、消費者の商品購入を促す効果を期待して、ノベルティやプレミアム、販促品と称される景品を商品に付加して販売することが行われている。特に近年では、飲料容器の一端側に装着するキャップ体を設け、このキャップ体の中に景品を収容することでコンビニエンスストアー等の店舗は勿論のこと、自動販売機でも販売可能なようにした景品付き商品が提案されている。
【０００３】
このような景品付き商品としては、たとえば、ジュースやコーヒー等の飲料品用缶の上端部を被覆するように装着するキャップ体の中に、ミニチュアカーなどの景品を収容して付加するようにしたものがある（たとえば、特許文献１乃至４を参照）。
【０００４】
また、商品として購入した物品の容器（たとえば、コーヒー缶やオートミール箱等）を利用して、牽引玩具や列車型の玩具を作ることができるようにした玩具用車輪組立構造体が提案されている（たとえば、特許文献５を参照）。
【先行技術文献】
【特許文献】
【０００５】
【特許文献１】特許第４５０４８９８号公報
【特許文献２】特許第４２７９５７８号公報
【特許文献３】特開２００１−１２２２７７号公報
【特許文献４】実用新案登録第３０５１８７６号公報
【特許文献５】特公昭４０−１１２３１号公報
【発明の概要】
【発明が解決しようとする課題】
【０００６】
しかしながら、上記特許文献１乃至４にて開示されたこれまでの景品付き商品は、商品と景品とが別々に単独で用いられるものとなっている。すなわち、商品は商品として飲食や化粧（ヘアケアやデオドラアント）等に供し、景品は景品として観賞や遊戯等に供するものでしかない。ゆえに、商品販売時は、景品が商品に付加されることで当該商品との関係性を有し、消費者の商品購入を促す効果が期待できるものとなっているものの、商品販売後は、景品が商品から独立して用いられるものであることから当該商品との関係性は非常に薄れたものとなり、その後も継続して商品購入を促す効果を期待することができない。
【０００７】
また、上記特許文献５にて開示された玩具用車輪組立構造体は、家庭で得られる商品の容器等を利用するものであって、景品として商品に付加されるものではない。ゆえに、消費者の購入を促す効果を期待するものでなければ、その後も継続して商品購入を促す効果を期待するものでもない。しかも、この玩具用車輪組立構造体は、開口端部を有すること（すなわち、開封して商品を取り出した空の容器等であること）を必要としており、景品として商品に付加させる場合、商品を購入しても開封して中身を取り出して空の容器としなければ、景品を用いることができないものである。
【０００８】
このように、商品販売時は勿論のこと、商品販売後も商品との関係性を維持し、継続して商品購入を促す効果が期待できる景品はこれまでのところ何ら提案されていない。
ゆえに、このような景品が提案されれば、商品販売業者にとっては非常に望ましいことであり、一日も早い提案が期待されている。
【０００９】
本発明は、上記事情に鑑みて成されたものであり、商品販売業者にとって、商品販売時は勿論のこと、商品販売後も継続して消費者の商品購入を促す効果が期待できることを可能とした技術を提供することを目的とする。
【課題を解決するための手段】
【００１０】
本発明の請求項１に係る景品は、商品に付加される景品であって、前記商品に対して形態変化する玩具本体と、前記玩具本体と協働して形態変化を実現する補助玩具と、前記玩具本体と前記補助玩具とを内部に収容可能とするキャップ体と、から構成され、前記玩具本体は、前記商品と着脱自在な連結手段を備え、前記補助玩具は、前記キャップ体への取り付けを可能とする支持部を備え、前記キャップ体は、前記商品と嵌脱自在な嵌合手段、及び前記補助玩具を着脱自在に取り付け可能とする結合手段を備え、前記玩具本体と前記補助玩具と前記キャップ体は、キャップ体の内部に玩具本体と補助玩具とを収容し、嵌合手段によってキャップ体を商品の一端側へ取り付ける第一の態様と、連結手段によって玩具本体と商品の一端側とを連結すると共に、結合手段によってキャップ体の外周面に補助玩具の支持部を取り付け、さらに、嵌合手段によってキャップ体を商品の他端側に嵌着する第二の態様とを取り得ることを特徴とする。
【００１１】
本発明の景品が付加される商品とは、玩具本体上に載置可能な形状、大きさをした物品をいう。また、商品は、無闇に変形しない定形容器に収容された、円筒状や方形状をした物品が望ましい。このような物品としては、たとえば、缶入り飲料やペットボトル入り飲料の他、紙製容器（箱）入りのスナック菓子、金属製又は合成樹脂製の円筒状容器入りの化粧品、たばこ、チューブ入り製品等を挙げることができる。特に、本発明の商品としては、容器の一端側に絞り溝を有する缶入り飲料が望ましい。
【００１２】
本発明の請求項２に係る景品は、請求項１に記載の景品において、前記玩具本体は、商品の端部を載置する連結台を備えることを特徴とする。
【００１３】
本発明の請求項３に係る景品は、請求項２に記載の景品において、前記連結手段は、商品の端部を係止するように前記玩具本体の連結台上に設けられた突起であることを特徴とする。
この突起は、商品の容器を係止する構造のもの、すなわち、付加する商品の容器に設けられた溝に適合する形状及び大きさをした凸状体をいう。
【００１４】
本発明の請求項４に係る景品は、請求項２又は３に記載の景品において、前記連結台は、上面が弧状に窪んでいることを特徴とする
弧状の窪みは、商品が缶入り飲料等のように円筒状をした物品である場合、その商品の外形に適応した形状であることを意味する。ゆえに、本発明では、連結台に載置される商品の長さ方向に対して直交する方向の外形に適応するように、玩具本体の長さ方向に対して直交する方向に沿って、玩具本体の上面が弧状に窪んでいるものである。
【００１５】
本発明の請求項５に係る景品は、請求項１乃至４の何れか１項に記載の景品において、前記玩具本体は、前記第二の態様をとった際に前記連結手段を備える位置より前方高所において前記連結手段に連結される商品の先端面付近まで後方に向けて延びる制止部を備えていることを特徴とする。
この前方高所とは、玩具本体上に載置される商品の先端側であって、当該商品の高さ（幅）より低い位置であることを意味する。ゆえに、本発明では、玩具本体に載置される商品の先端面と当接するかのように、玩具本体の一部が、当該商品の高さ（幅）を超えない範囲で高くなり、かつ、載置部上空側に向かって突き出ているものである。
【００１６】
本発明の請求項６に係る景品は、請求項１乃至５の何れか１項に記載の景品において、前記玩具本体は、前記商品を牽引しながら移動する機能をさらに備えた走行玩具であり、車軸を介して連結された左右一対の車輪を備え、前記補助玩具は、前記走行玩具による前記商品の牽引を補助し、走行玩具と協働して円滑な走行を可能とする走行補助具であり、左右一対の車輪を少なくとも１組備えることを特徴とする。
【００１７】
本発明の請求項７に係る景品は、請求項６に記載の景品において、前記玩具本体は、前記車輪の車軸を駆動する、プルバック式の駆動装置を備えていることを特徴とする。
このプルバック式とは、ゼンマイを使った駆動装置の一つであって、後ろに引くとゼンマイが巻かれ、手を離すとゼンマイの力で前進走行するように車輪を回転させる構造のものをいう。
【００１８】
本発明の請求項８に係る景品は、請求項６又は７に記載の景品において、前記連結手段は、商品の端部を係止するように前記玩具本体の連結台上に設けられた突起であり、前記突起は、前記車輪の車軸位置より前方に設けられていることを特徴とする。
車軸位置より前方とは、商品の端部が車軸位置を越えて玩具本体の前方に位置することをいう。ゆえに、たとえば、玩具本体において車輪として１組だけ備えられている場合は、当該車軸位置を越えた前方位置に突起が設けられ、また、車輪として前輪及び後輪の２組備えられている場合は、後輪の車軸位置を越えた前方位置に突起が設けられ、さらに、車輪として３組以上備えられている場合は、少なくとも最後輪の車軸位置を越えた前方位置に突起が設けられているものとする。
【００１９】
本発明の請求項９に係る景品は、請求項１乃至８の何れか１項に記載の景品において、前記結合手段は、補助玩具の支持部の収容保持を可能とするように前記キャップ体の周側面の一部を内側に窪ませて形成した凹部であることを特徴とする。
【００２０】
本発明の請求項１０に係る景品付き商品は、請求項1乃至９の何れか１項に記載の景品が付加された商品であって、キャップ体の内部に玩具本体と補助玩具とを収容し、前記キャップ体を商品の端部に嵌着して景品を付加したことを特徴とする。
【００２１】
本発明の請求項１１に係る景品付き商品は、請求項１０に記載の景品付き商品において、前記商品は、少なくとも一方の端部に絞り溝を有する物品であることを特徴とする。
この絞り溝は、円筒状をした胴部と円形をした蓋部（上蓋や底蓋）とを密閉状態に接合する際に形成されるつなぎ目である巻締部に隣接して設けられたものであり、たとえば、ツーピース缶やスリーピース缶と称されるジュースやコーヒー等の飲料品用缶の上端や下端に設けられた径小凹部をいう。ゆえに、ウエストウェーブ缶と称される缶の胴下部に設けられた、殺菌時の熱効率を上げるために施された括れ加工により設けられた凹部とは異なる。
【００２２】
本発明の請求項１２に係る景品付き商品は、請求項１０又は１１に記載の景品付き商品において、前記商品は、円筒状をした物品であることを特徴とする。
【００２３】
本発明の請求項１３に係る景品付き商品は、請求項１０乃至１２の何れか１項に記載の景品付き商品において、前記商品は、強磁性体材料で形成された物品であることを特徴とする。
【発明の効果】
【００２４】
本発明の景品は、商品に対して形態変化する玩具本体と、玩具本体と協働して形態変化を実現する補助玩具と、玩具本体と前記補助玩具とを内部に収容可能とするキャップ体とによって構成され、キャップ体も景品の一部として用いる構造となっている。
また、本発明の景品付き商品は、キャップ体の内部に玩具本体と補助玩具とを収容し、キャップ体を商品の端部に装着して景品を付加する第一の態様と、玩具本体と商品の一端側とを連結すると共に、キャップ体の外周面に補助玩具の支持部を取り付け、さらに、このキャップ体を商品の他端側に嵌着して景品を付加する第二の態様とを取り得る構造となっている。
【００２５】
ゆえに、消費者が商品を購入する前の商品販売時は、キャップ体がケースとして用いられてその中に玩具本体と補助玩具を収容し、商品の上端部（天蓋）又は下端部（底蓋）といった一端側に装着した状態とする。これにより、景品が商品取り扱いの邪魔となったり、展示する商品の体裁を崩したりすることがなく、景品が付加されていない商品と同様に用いることができる。
【００２６】
一方、消費者が商品を購入した後に景品を玩具として用いる時は、玩具本体の後端部に商品の一端側を載置し連結するとともに、キャップ体の外周面に補助玩具の支持部を取り付け、さらに、商品の他端側にキャップ体を装着した状態とする。これにより、キャップ体が邪魔になったり、紛失したりせず、景品及び商品が一体となった形態変化を楽しむことができる。しかも、商品自体が、恰も商品の形状等を模したディスプレイのように機能し、商品購入後も視覚的に商品情報を消費者に継続して訴えることができる。
【００２７】
したがって、商品購入前は消費者の購入を促す効果が期待でき、かつ、商品購入後は連結して用いられる商品が広告・宣伝機能を果たし、商品購入後も当該商品との関係性を維持して継続してその後も商品購入を促す効果が期待できる。
【図面の簡単な説明】
【００２８】
【図１】本発明に係る景品付き商品において景品を用いる時の状態を示す全体図である。
【図２】本発明に係る景品付き商品の販売時又は景品収容時の状態を示す全体図である。
【図３】本発明に係る景品における走行玩具本体を示す側面図である。
【図４】本発明に係る景品における走行玩具本体の連結台に設けた連結手段を示す平面図である。
【図５】本発明に係る景品における走行玩具本体の連結台の形状を示す背面図である。
【図６】本発明に係る景品における走行補助具を示す側面図である。
【図７】本発明に係る景品における走行補助具を示す正面（又は背面）図である。
【図８】本発明に係る景品におけるキャップ体を示す側面図である。
【図９】本発明に係る景品におけるキャップ体の外周面に設けた結合手段を示す側面図である。
【図１０】本発明に係る景品におけるキャップ体の内周面に設けた嵌合手段を示す底面図である。
【図１１】本発明に係る景品と商品とを組み合わせる状態を示す図である。
【図１２】本発明に係る景品の走行玩具本体がプルバック式の駆動装置を備えたときに景品と商品とを組み合わせて走行玩具として用いる状態を示す図である。
【図１３】本発明に係る景品と商品とを組み合わせた他の状態を示す図である。
【発明を実施するための形態】
【００２９】
以下、本発明に係る景品と、この景品付き商品について、図面に基づき説明する。
本実施の形態においては、本発明の理解を容易にするため、容器の一端側に絞り溝を有する缶入り飲料（たとえば、缶コーヒー）を商品の一例とし、この商品に付加する景品と、景品付き商品について説明する。
【００３０】
図１に示すように、本発明の景品付き商品１０は、商品Ａに景品Ｐが付加されたものである。この景品Ｐは、玩具本体１と、補助玩具２と、キャップ体３とから構成されている。
また、図２に示すように、本発明の景品付き商品１０は、商品Ａの上端部（天蓋）に玩具本体１と補助玩具２とを載置し、これをキャップ体３で覆うことにより、キャップ体３の内部に玩具本体１と補助玩具２とを収容した状態で、このキャップ体３を商品Ａの端部に装着して景品Ｐを付加したものとなっている。
【００３１】
図１及び図２において、商品Ａは、円筒状をした物品として示され、その上端及び下端に巻締部Ａ１と、絞り溝Ａ２とを備える。この巻締部Ａ１は、円筒状をした胴部と円形をした蓋部（上蓋や底蓋）とを密閉状態に接合する際に形成されるつなぎ目である。また、絞り溝Ａ２は、胴部の上端や下端に設けられた径小となる凹部である。
ゆえに、後述するキャップ体３の係止突起３３が、巻締部Ａ１を乗り越えて絞り溝Ａ２に係合することで、商品Ａの上端部又は下端部の何れにおいてもキャップ体３が装着するものとなっている。
【００３２】
この玩具本体１は、図３乃至図５に示すように、たとえば、商品を車両に模したとき、その先頭部分に相当する摸擬形状をした車両型の玩具とすることができる。
また、本実施の形態による玩具本体１は、商品Ａを牽引しながら移動する機能をさらに備えた走行可能な玩具（以下、「走行玩具」という。）であって、商品Ａと着脱自在な連結手段を備える。また、玩具本体１は、商品Ａの端部を載置する連結台１１を備える。なお、本発明において玩具本体１は、商品Ａを牽引しながら移動する機能を備えないものとして良いが、上述のように商品Ａを牽引しながら移動する機能をさらに備えた走行玩具１とすると、景品としての価値を一層高めることができるので望ましい。
【００３３】
このような走行玩具１としては、たとえば、蒸気機関車（ＳＬ）型やトレーラー型等をした車両を挙げることができる。
図３乃至図５において、後方に連結台１１を備える、蒸気機関車（ＳＬ）型をした走行玩具１が示されている。
【００３４】
連結手段は、牽引する商品Ａの形状や構造、性質等に応じて適宜変更することができる。
この連結手段としては、商品Ａが、少なくとも一方の端部に絞り溝を有する物品である場合、図３乃至図５に示すように、たとえば、商品Ａの端部を係止するように走行玩具１の連結台１１上に設けられた突起１２とすることができる。この突起１２は、前述したとおり商品Ａの絞り溝に適合する大きさ及び形状に形成されたものとなっている。
図３乃至図５において、連結手段は、連結台１１上において、走行玩具１の長さ方向に対して直交する方向に沿うようにリブ状に設けた突起１２として示されている。
【００３５】
このような突起１２による連結手段とすることにより、走行玩具１の連結台１１上に商品Ａの一端側を載置して、商品Ａの端部に設けられた絞り溝と連結台１１上に設けられた突起１２とを係合させることで、走行玩具１と商品Ａとを確実に連結することができる。ゆえに、走行時に走行玩具１と商品Ａとが無闇に離脱してしまう虞がない。
【００３６】
また、走行玩具１は、図３に示すように、車輪として前輪１４及び後輪１５を備える。図示しないが、本実施の形態において前輪１４は、左右それぞれ独立に回転する自由車輪により構成され、後輪１５は、車軸を介して連結された左右一対の車輪から構成されものとなっている。なお、前輪１４もまた、後輪１５と同様に、車軸を介して連結された左右一対から構成されたるものでも良い。
【００３７】
また、連結手段である突起１２は、図３に示すように、後輪１５の車軸位置１３ｘより前方に設けられていることが望ましい。
すなわち、突起１２が後輪１５の車軸位置１３ｘより後方に設けられていると、走行玩具１の連結台１１上に商品Ａを載置したとき、商品Ａの重みが後輪１５の車軸位置１３ｘより後方だけに掛かり、車軸位置１３ｘがテコの支点となって走行玩具１の先方部分を浮き上がらせてしまう、いわゆる、ウィリー状態となる不都合を生じてしまう虞がある。
【００３８】
ところが、突起１２を後輪１５の車軸位置１３ｘより前方に設けることで、走行玩具１の連結台１１上に商品Ａを載置したとき、走行玩具１に掛かる商品Ａの重みが後輪１５の車軸位置１３ｘを跨いで走行玩具１（連結台１１）に掛かることになる。したがって、走行玩具１の先方部分が浮き上がってしまうウィリー状態となることを回避し、正常な状態での走行を確実に行うことができる。
【００３９】
連結台１１は、上面（載置面）が平坦なものでも良いが、図５に示すように、商品Ａが円筒状をした物品であるとき、その上面が弧状に窪んでいると望ましい。すなわち、円筒状をした商品Ａの外周面の形状に適合するように、連結台１１上に設けられた突起１２（連結手段）と同様に、走行玩具１の長さ方向に対して直交する方向に沿って弧状に窪んだ凹部とすると良い。
【００４０】
このように連結台１１の上面が弧状に窪んでいると、走行玩具１の連結台１１上に商品Ａの一端側を載置することで、商品Ａが弧状方向に揺れ動くことを抑制することができる。ゆえに、走行玩具１上に商品Ａを確実に保持することができる。
【００４１】
補助玩具２は、図６及び図７に示すように、たとえば、走行玩具１と商品Ａとによる車両模型を具象化する、後輪に相当する摸擬形状をした補助玩具（以下、「走行補助具」という。）とすることができる。
この走行補助具２は、走行玩具１による商品Ａの牽引を補助し、走行玩具１と協働して円滑な走行を可能とするものであって、下端部に、車軸２３を介して連結された左右一対の車輪２４を少なくとも１組備える。
【００４２】
また、走行補助具２は、車輪２４のキャップ体３への取り付けを可能とする支持部２１を備える。この支持部２１は、走行補助具２をキャップ体３への取り付けるための雄型結合具として機能する。支持部２１は、下面に顎部２５を有し、支脚２２及び車軸２３を介して車輪２４と接続されている。
【００４３】
図７において、支持部２１と支脚２２は、支脚２２の上端に支持部２１が設けられることで、略Ｔ字状に形成されたものとして示されている。ゆえに、支持部２１（顎部２５）をキャップ体３へ取り付けることで、車輪２４がキャップ体３へ取り付けられるものとなっている。
図６及び図７において、この走行補助具２は、車輪２４を１組だけ備えるものとして示されているが、２組又はそれ以上備えるものとしても良い。
【００４４】
また、走行補助具２は、キャップ体３へ取り付けたとき、商品Ａを水平に保持するような長さ（高さ）を有するものであることが望ましい。すなわち、キャップ体３へ取り付けられる支持部２１等を除いた部分の長さが、走行玩具１の連結台１１上面の高さと略同じとなることが望ましい。
このように商品Ａを水平に保持することで、この商品Ａの重さによる負荷を走行玩具１の車輪（後輪１５）と走行補助具２の車輪２４とで均等に担い、走行玩具の円滑な走行を可能とすることができる。
【００４５】
キャップ体３は、図８乃至図１０に示すように、走行玩具１と走行補助具２とを内部に収容可能とする大きさであって、かつ、商品Ａの端部に装脱自在な嵌合手段を備える。すなわち、走行玩具１及び走行補助具２の大きさ（長さ）は、何れもキャップ体３の内径より小さい寸法をしたものとなっている。また、商品Ａの端部（絞り溝）の外径は、キャップ体３の内径より小さい寸法をしたものとなっている。
【００４６】
嵌合手段は、商品Ａの端部へのキャップ体３の取り付けを可能とするように、たとえば、キャップ体３の開口部付近内面の周方向に沿って設けられた係止突起３３とすることができる。
図８乃至図１０において、係止突起３３は、キャップ体３の開口部付近内面（底面側内周面）において、対向する位置にそれぞれ設けられた、一組のリブ状突起として示されている。
【００４７】
このようにキャップ体３は、その開口部付近内面に係止突起３３を設けることで、係止突起３３が商品Ａの端部に設けられた巻締部Ａ１を乗り越えて絞り溝Ａ２に係合し保持される。ゆえに、商品Ａとキャップ体３とは嵌脱自在になっている。
【００４８】
なお、本発明において係止突起３３の数や配置はこれに限定されない。したがって、係止突起３３は、キャップ体３の開口部付近内面において、周方向に均等に離間して３つ設けたものとしても良いし、対向する位置に二組又はそれ以上設けたものとしても良い。
【００４９】
また、キャップ体３は、走行補助具２を着脱自在に取り付け可能とする結合手段を備える。
結合手段は、走行補助具２の支持部２１の保持を可能とするように、たとえば、キャップ体３の外周面の一部を内側に窪ませて形成した凹部３１とすることができる。
【００５０】
すなわち、この凹部３１は、キャップ体３へ走行補助具２を取り付けるための雌型結合具として機能する。ゆえに、キャップ体３の凹部３１内に走行補助具２の支持部２１が配されることで、雄型結合具である支持部２１と雌型結合具である凹部３１とが圧接力によって結合し、キャップ体３の外周面より突出するように走行補助具２を保持することができる。
【００５１】
このようにキャップ体３は嵌合手段（係止突起３３）を備えているので、商品Ａとキャップ体３とを容易に一体的に組み合わせることができる。また、キャップ体３は結合手段（凹部３１）を備えているので、走行補助具２とキャップ体３とを容易に一体的に組み合わせることができる。ゆえに、キャップ体３を介して、商品Ａと走行補助具２とを容易に一体的に組み合わせることができる。そして、このキャップ体３を介した間接的な商品Ａと走行補助具２との組み合わせは、直接走行補助具２を商品Ａへ取り付けるようにするより、走行補助具２を商品Ａに対して確実に安定してかつ容易に取り付けることができる。
【００５２】
また、凹部３１は、図８乃至図１０に示すように、走行補助具２の支脚２２の挿通を可能とする切溝３２と、走行補助具２の顎部２５の係止を可能とする庇部３４を備えるものとしても良い。
【００５３】
このように凹部３１は、切溝３２と庇部３４を備えることで、切溝３２を介してキャップ体３の凹部３１内に走行補助具２の支持部２１を挿入すると共に、庇部３４によって走行補助具２の顎部２５を係止する。ゆえに、凹部３１と支持部２１との圧接力を強くしなくても（弱くても）確実に走行補助具２をキャップ体３に保持することができる。
【００５４】
また、この結合手段は、キャップ体３を貫通する切り込み（スリット）や穴を設けるものとしても良い。しかしながら、商品Ａが飲食物品の場合、切り込みや穴からキャップ体３内へ異物等が混入してしまう虞がある。ゆえに、結合手段は、キャップ体３を貫通する切り込みや穴を設けるものではなく、キャップ体３の外周面の一部を内側に窪ませて凹部を設けるもののように、キャップ体３内へ異物等が混入してしまう虞のない衛生的な手段が望ましい。
【００５５】
このような景品付き商品１０は、図１１中の（１）に示すように、まず、キャップ体３の外周面に設けた凹部３１内に走行補助具２の支持部２１を挿入し、結合手段によってキャップ体３に走行補助具２を取り付ける。
次いで、図１１中の（２）に示すように、キャップ体３の内周面に設けた係止突起３３を、商品Ａの端部Ａｂに設けられた絞り溝Ａ２に係合し、嵌合手段によって商品Ａの端部Ａｂ側にキャップ体３を嵌着する。
【００５６】
そして、図１１中の（３）に示すように、走行玩具１の連結台１１上に設けた突起１２と商品Ａの絞り溝Ａ２とが合わさるように、商品Ａの一端Ａａ側を走行玩具１の連結台１１上に載置し、連結手段によって走行玩具１と商品Ａとを連結する。このとき、走行玩具１の後方に離間して走行補助具２が配された状態となっている。
【００５７】
これにより、商品Ａの一端Ａａ側は、絞り溝Ａ２が突起１２と係合して走行玩具１によって支持されたものとなり、一方、商品Ａの他端Ａｂ側は、キャップ体３を介して走行補助具２によって支持されたものとなる。
ゆえに、商品Ａは、この商品Ａ及びキャップ体３を介して離間して配された走行玩具１と走行補助具２とによって支持されたものとなっている。
【００５８】
以上のように商品Ａと景品Ｐとが組み合わされた景品付き商品１０は、これをそのまま飾って鑑賞することはもちろんのこと、走行玩具１に指を添えて押すことで、貨物列車やトレーラーのような牽引車両型の走行玩具として商品を牽引して走らせたりして遊ぶことができる。このとき、商品Ａと景品Ｐとは一体であって関係性が維持されているものであるので、景品Ｐを用いるとき、商品Ａに付された商標等を目にすることで広告機能が働き、商品販売後も継続して商品購入を促す効果が期待できる。
【００５９】
すなわち、本発明の景品付き商品１０は、商品Ａの販売時は景品Ｐと一体であり商品Ａと景品Ｐとを組み合わせて使用するが、さらに商品Ａの使用後であってもその商品Ａと景品Ｐとを組み合わせて使用でき、商品Ａを利用した後であっても景品Ｐと商品Ａとが一体となって広告機能を発揮させる、今までにない効果を奏するものとすることができる。また、景品Ｐについては、景品付き商品１０をともに構成していた商品Ａと組み合わせなくても、単独でもしくは他の商品と組み合わせることで使用することができる。
【００６０】
また、本発明の景品付き商品１０は、商品が缶入り飲料である場合、中身の飲料を飲んだ後にキャップ体３を飲み口側の端部に装着することで、外観上の見栄えよく鑑賞したり、中身の飲料を飲む前と同様に走行させたりして楽しむことができる。特に、屋外等で飲用後の缶の中を洗浄することが困難な場合でも、飲み口側の端部がキャップ体３によって覆われたものとなるので、缶を洗浄せずにそのまま用いたとしても、内部に残った飲料がこぼれて景品付き商品や周囲を汚してしまう虞も回避することができる。
【００６１】
一方、本発明の景品付き商品１０は、景品Ｐの使用を止める場合、商品Ａの販売時と同様に、商品Ａの他端Ａｂ側から取り外したキャップ体３の中に走行玩具１と走行補助具２を収容し、商品Ａの一端Ａａ側に装着する。これにより、景品付き商品１０を容易に持ち運ぶことができる。また、景品Ｐである走行玩具１や走行補助具２、キャップ体３がバラバラになって紛失することなく、効率良く一体的に保管や管理をすることができる。
【００６２】
また、走行玩具１は、車軸を駆動するプルバック式の駆動装置を備えていることが望ましい。この駆動装置は、後輪１５の車軸を駆動するように設けるのが良い。すなわち、前輪が駆動するものであると、商品Ａの重さや、駆動装置のゼンマイが元に戻るときの勢い等によって前輪が一時的に浮き上がってしまう虞がある。しかしながら、後輪１５の車軸に駆動装置を備えるものとすると、後輪１５は商品Ａの重さや駆動装置の勢い等によっても浮き上がることなく、確実に接地して走行可能なものとすることができる。
【００６３】
このようにプルバック式の駆動装置を備えることで、図１２（Ａ）において点線矢印で示すように、景品付き商品１０は、景品Ｐと商品Ａとを連結した状態で走行玩具１を後退させる。そうすると、後輪１５の後退回転によって駆動装置のゼンマイが巻かれることになる。
【００６４】
そして、図１２（Ｂ）において実線矢印で示すように、走行玩具１から手を離すと、駆動装置のゼンマイが元に戻る反発力によって後輪１５が回転し、走行玩具１が前進して商品Ａを牽引しながら本物の牽引車両のように、景品付き商品１０を自動で走行させることができる。ゆえに、いっそう興味深い牽引車両型の景品付き商品１０とすることができる。
【００６５】
また、走行玩具１は、連結手段（たとえば、突起１２）を備える位置より前方高所において、連結手段に連結される商品Ａの先端面付近まで後方に向けて延びる制止部を備えていることが望ましい。具体的には、上述したように走行玩具１がプルバック式の駆動装置を備える場合、走行玩具１は、図３及び図４に示すように、連結台１１の前方高所において、連結台１１に載置され突起１２に連結される商品Ａの先端（上端）面付近まで後方に向けて延びる制止部１６を備えていることが望ましい。
図３及び図４において、制止部１６は、蒸気機関車型をした走行玩具１の屋根部１７が後方に少し迫り出したものとして示されている。
【００６６】
このように制止部１６を備えることで、制止部１６が商品Ａの先端面に当接し、走行玩具１の連結台１１上に載置した商品Ａの重みや、走行玩具１の走行時の衝撃（すなわち、駆動装置のゼンマイが元に戻るときの勢い）等によって、走行玩具１の前方部分が浮き上がってしまうことを抑制することができる。また、制止部１６と商品Ａの先端面との間に少し隙間があり、走行玩具１の前方部分が浮き上がってしまったとしても、制止部１６が商品Ａの先端面に当接する反動で浮き上がりを元に戻し易くすることもできる。
【００６７】
また、この制止部１６は、走行玩具１の連結台１１上へ載置する商品の位置決め部材として用いることで、連結台１１上の望ましい位置へ商品Ａを載置することを容易なものとすることができる。
【００６８】
以上のように本実施の形態においては、容器の一端側に絞り溝を有する円筒状の缶入り飲料を商品の一例とし、商品と走行玩具との連結手段として、突起を設けた場合について説明したが、本発明はこれに限定されない。したがって、本発明においては、他の連結手段や他の形状をした商品を用いるものとすることができる。
【００６９】
他の連結手段としては、商品Ａが強磁性体材料で形成された容器に収容された物品である場合、この商品Ａを磁力で引き付けるように走行玩具１の連結台１１上に設けられた磁石によって構成しても良い。この強磁性体材料とは、たとえば、鉄やコバルト、ニッケルといった鉄族遷移金属、又はこれら鉄族遷移金属が含まれた合金や化合物等の磁石にくっつく物質をいい、具体的に商品Ａとしては、スチール缶など金属製容器入りの物品を一例として挙げることができる。
【００７０】
このように、走行玩具１の連結台１１上に商品Ａの一端側を載置して、商品Ａ自身と連結台１１上に設けられた磁石とを磁着させることで、走行時に走行玩具１と商品Ａとが無闇に離脱してしまう虞がない景品付き商品１０とすることができる。しかも、商品Ａが強磁性体材料で形成され、かつ、端部に絞り溝を有する物品である場合、連結台１１上に磁石と共に突起１２を設けるものとすれば、磁石による磁着と突起１２による係合によって、走行玩具１と商品Ａとをより確実に連結することができる。もちろん、上記実施の形態における突起１２を、磁石によって形成するものとしても良い。
【００７１】
さらに、他の連結手段は、商品Ａが合成樹脂で形成された容器（たとえば、ペットボトル）又は紙で形成された容器（たとえば、紙箱）に収容された物品である場合、この商品Ａを貼り着けるように走行玩具１の連結台１１上に設けられた粘着部材によって構成しても良い。この粘着部材は、商品を貼り付けるものであり、たとえば、粘性を有する高分子ゲル状体を一例として挙げることができる。この粘着部材からなる汚れ除去部により、走行玩具と商品とを容易に連結することができる。なお、粘着部材としては、水での洗浄により汚れを落し、繰り返し使用可能となるものが望ましい。
【００７２】
このように、商品Ａの端部に絞り溝がない場合や、商品Ａが強磁性体材料で形成されていない場合でも、走行玩具１の連結台１１上に商品Ａの一端側を載置して、商品Ａ自身と連結台１１上に設けられた粘着部材とを貼り着けることで、走行玩具１と商品Ａとを容易に確実に連結し、走行時に走行玩具１と商品Ａとが無闇に離脱してしまう虞がない景品付き商品とすることができる。
【００７３】
また、他の形状をした商品としては、既述したように方形状をした箱（缶）入りお菓子やたばこ、略円筒状をしたチューブ入り製品とし、これらの商品と走行玩具との連結手段として、磁石や粘着部材を設けたものであっても良い。
【００７４】
なお、上記実施の形態においては、玩具本体１として、走行玩具の場合を例に説明したが、本発明はこれに限定されない。
以下に、上述した走行玩具の場合の実施の形態とは異なる部分を中心に説明する。したがって、走行玩具の場合の実施の形態と同様の構成部分は同じ符号を付してその説明は省略し、特に説明しない限り同じであるものとする。
【００７５】
本発明においては、玩具本体として、たとえば、商品を動物の胴体に模したとき、その頭部に相当する摸擬形状をした動物模型の玩具（以下、「動物玩具」という。）とすることもできる。このような動物玩具としては、たとえば、犬や猫、クジラ、龍等の動物を模った玩具を挙げることができる。
図１３において、本発明の景品付き商品５０は、後方に連結台１１を備える、犬（ダックスフンド）の前半身を模った動物玩具５１を備えるものとして示されている。
【００７６】
この動物玩具５１は、もちろん商品Ａを牽引しながら移動する機能をさらに備えた走行可能な玩具とすることができるし、商品Ａを牽引しながら移動する機能を備えない玩具とすることもできる。
動物玩具５１は、景品としての価値を一層高めるために、図１３に示すように、車輪として前輪１４及び後輪１５を備える。この際、後輪１５は、車軸を駆動するプルバック式の駆動装置を備えていることが望ましい。
【００７７】
補助玩具５２は、たとえば、動物玩具５１と商品Ａとによる動物模型を具象化する、後脚に相当する摸擬形状をした補助玩具（以下、「動物補助具」という。）とすることができる。
図１３において、本発明の景品付き商品５０は、犬（ダックスフンド）の後半身（後脚）を模った動物補助具５２を備えるものとして示されている。
【００７８】
この動物補助具５２は、図１３に示すように、動物玩具５１による商品Ａの牽引を補助し、走行玩具１と協働して円滑な走行を可能とするものであって、下端部に、車軸２３を介して連結された左右一対の車輪２４を少なくとも１組備える。
【００７９】
また、動物補助具５２は、車輪２４のキャップ体３への取り付けを可能とする支持部を備える。この支持部は、動物補助具５２をキャップ体３への取り付けるための雄型結合具として機能する。支持部は、下面に顎部を有し、支脚２２及び車軸２３を介して車輪２４と接続されている。
【００８０】
以上のように本発明の景品付き商品５０は、動物玩具５１と、動物補助具５２と、キャップ体３とから構成された景品Ｐが、商品Ａに付加されたものである。
したがって、このような景品付き商品５０は、上述した景品付き商品１０と同様に、まず、キャップ体３に動物補助具５２を取り付けた後、商品Ａの端部Ａｂ側にキャップ体３を嵌着する。
次いで、動物玩具５１の連結台１１上に商品Ａの一端Ａａ側を載置し、動物玩具５１と商品Ａとを連結する。
ゆえに、商品Ａは、この商品Ａ及びキャップ体３を介して離間して配された動物玩具５１と動物補助具５２とによって支持されたものとなっている。
【００８１】
以上のように商品Ａと景品Ｐとが組み合わされた景品付き商品５０は、これをそのまま飾って鑑賞することはもちろんのこと、動物玩具５１が走行可能な車輪を備えていれば、動物玩具５１に指を添えて押すことで、犬（ダックスフンド）が散歩するような走行玩具として遊ぶことができる。
【符号の説明】
【００８２】
Ａ  商品、Ａａ  一端、Ａｂ  他端、Ａ１  巻締部、Ａ２  絞り溝、Ｐ  景品、１  玩具本体（走行玩具）、２  補助玩具（走行補助具）、３  キャップ体、１０，５０  景品付き商品、１１  連結台、１２  突起（連結手段）、１４  車輪、１４ａ  前輪、１４ｂ  後輪、１６  制止部、２１  支持部、２２  支脚、２３  車軸、２４  車輪、２５  顎部、３１  凹部（結合手段）、３２  切溝、３３  係止突起（嵌合手段）、３４  庇部、５１  玩具本体（動物玩具）、５２  補助玩具（動物補助具）。
【図１】
0005681063.tif 000002
【図２】
0005681063.tif 000003
【図３】
0005681063.tif 000004
【図４】
0005681063.tif 000005
【図５】
0005681063.tif 000006
【図６】
0005681063.tif 000007
【図７】
0005681063.tif 000008
【図８】
0005681063.tif 000009
【図９】
0005681063.tif 000010
【図１０】
0005681063.tif 000011
【図１１】
0005681063.tif 000012
【図１２】
0005681063.tif 000013
【図１３】
0005681063.tif 000014